(57)【要約】【課題】コンパクトな構造のクリーニング装置を提供する。【解決手段】回収ユニット（１７）は、クリーニングブラシ（６）及び金属ローラ（７）に対しダスト回収箱（７６，７７）をそれぞれ備える。クリーニングブレード（９）は、ボルト（７８）によりブレードホルダー（７９）に固定されている。フレームユニットに回収ユニット（１７）を組み込む際には、回収ユニット（１７）を所定の方向に移動させ、フレームユニット（１１）の側板部（１４Ｂ）の位置決め部（１４Ｂｂｂ）に接触するまで移動させる。回収ユニット（１７）を移動させる際に、固定ボルト（８５）を緩めて、固定座金（８６）の直線部（８６ａ）が鉛直方向になるようにして、ボルト（８５）を締め付けて固定する。一方、回収ユニット（１７）を固定する際には、固定ボルト（８５）を緩めて、固定座金（８６）の直線部が水平方向になるようにして、ボルトを締め付けて固定する。【選択図】図１８
2011099307.tif 000002
【特許請求の範囲】
【請求項１】
被クリーニング材の表面に接触しつつ回転しながら相対移動するクリーニングローラと、このクリーニングローラの表面に接触しながら回転する転写ローラと、この転写ローラの表面に接触しながら回転する帯電制御ローラとを備え、前記帯電制御ローラに帯電される電荷によって、前記被クリーニング材の表面上に付着する異物を静電気力により吸着するための電荷を、クリーニングローラおよび転写ローラに対し変更し、前記被クリーニング材の表面上に付着する塵挨などの異物を前記クリーニングローラによって静電気力を利用して取り除き、前記クリーニングローラに付着した前記異物を前記転写ローラによって取り除くクリーニング装置であって、
前記クリーニングローラ、転写ローラおよび帯電制御ローラが設けられているフレームユニットに対し、前記転写ローラに付着する異物を取り除き回収するための回収ユニットが着脱可能に設けられ、
前記回収ユニットは、前記フレームユニットに設けられた状態で、前記転写ローラ上の異物を取り除くクリーニングブラシと、このクリーニングブラシから前記異物を取り除く金属ローラと、この金属ローラの表面上に付着する異物を掻き取るクリーニングブレードとが、回収フレームに一定の位置関係で取り付けられたものであることを特徴とするクリーニング装置。
【請求項２】
前記回収ユニットは、前記回収フレームに、前記クリーニングブラシおよび前記クリーニングブレードにて掻き取られた異物を収納する異物収納箱が設けられている請求項１記載のクリーニング装置。
【請求項３】
前記回収フレームは，左右の側板部の間に前記クリーニングブラシおよび前記金属ローラを回転可能に支持する構成とされ、
前記金属ローラおよび前記クリーニングブラシは、それらの回転軸の軸端部に、前記回収フレームの側板部外側に露出する電極を備え、
前記回収フレームの側板部の外側面側に、前記電極に接続される電線が収納される収納溝が形成されている請求項１または２記載のクリーニング装置。
【請求項４】
前記フレームユニットは、前記回収ユニットを前記フレームユニットに対し係止可能である固定座金を備え、
前記固定座金は、前記回収ユニットのフレームユニットへの着脱を可能とする第１の位置と、前記回収ユニットのフレームユニットへの着脱を禁止し前記回収ユニットを前記フレームユニットに対し係止する第２の位置とを選択的に取り得る請求項２又は３記載のクリーニング装置。
【請求項５】
前記クリーニングローラ、前記転写ローラ及び前記帯電制御ローラがローラフレームに回転可能に支持されてローラユニットとされ、
このローラユニットは、前記フレームユニットに着脱可能に設けられていることを特徴とする請求項１〜４のいずれか１つにクリーニング装置。
【請求項６】
前記クリーニングローラ、前記転写ローラおよび前記帯電制御ローラは、前記ローラフレームに対し前記転写ローラの回転軸を基準として組み付けられている請求項５記載のクリーニング装置。
【請求項７】
前記クリーニングローラは第１のスライドブロックに回転可能に支持される一方、前記帯電制御ローラは第２のスライドブロックに回転可能に支持され、
前記ローラフレームには、前記転写ローラが回転可能に支持されるとともに、前記第１及び第２のスライドブロックがスライド可能に嵌合する第１及び第２の嵌合溝部が形成され、
前記ローラユニットは、前記第１及び第２のスライドブロックが前記第１及び第２の嵌合溝部に嵌合された状態で、前記第１及び第２のスライドブロックを、前記転写ローラ及び前記帯電制御ローラを前記転写ローラを押し付ける方向に付勢する第１及び第２のばね部材を備える請求項５又は６記載のクリーニング装置。
【請求項８】
前記ローラフレームは、左右の側板部の間に前記クリーニングローラ、前記転写ローラおよび前記金属帯電制御ローラを回転可能に支持する構成とされ、
前記左右の側板部には、テーパー軸が回転可能かつ摺動可能に設けられ、前記テーパー軸の先端が前記フレームユニットの中央部に向けて突出するように弾性付勢される構成とされ、
前記ローラフレームの左右側板部には、前記テーパー軸が嵌合するテーパー穴が形成されている請求項５〜７のいずれか１つに記載のクリーニング装置。
【請求項９】
前記フレームユニットと前記ローラフレームとの間に、前記クリーニングローラの、被クリーニング材への押付力を生じさせるように前記ローラフレームを弾性付勢するばね部材が設けられている請求項５〜８のいずれか１つに記載のクリーニング装置。
【請求項１０】
前記クリーニングローラおよび前記帯電制御ローラは、それらの回転軸の軸端部に、前記ローラフレームの側板部外側に露出するローラ電極を備え、
前記ローラフレームの側板部の外側面側に、前記ローラ電極に接続される電線が収納される収納溝が形成されている請求項５〜９のいずれか１つに記載のクリーニング装置。
【発明の詳細な説明】
【技術分野】
【０００１】
本発明は、被クリーニング材の表面に静電気力により付着する異物（塵挨など）を取り除くクリーニング装置に関するものである。特に、被クリーニング材が、例えばガラス基板、プリント基板（ＰＣＢ，ＰＣＢＡなど）、フィルム、シート、プラスチック板などの比較的表面平滑性の高いものである場合に適する。  
【背景技術】
【０００２】
従来、フラットパネルディスプレイ（ＦＰＤ）のガラス基板や、プリント基板、貼り合わせフィルムなどの薄い被クリーニング材について表面上に付着する塵挨などの異物を取り除くクリーニング装置としては、粘着ローラを用い、それの粘着力を利用して前記異物を取り除くようにしたものが知られている（例えば、特許文献１参照）。【０００３】
このような粘着ローラでは、微小な異物（例えば、平均径１μｍ以下の異物）を取り除くことができず、また粘着ローラの表面（粘着層）に一旦付着した塵挨などの異物を完全に取り除くのが困難であり、メンテナンス性に劣る。また、被クリーニング材に粘着ローラをある程度圧力を加えて押し付け、異物を取り除くようにしているので、被クリーニング材が例えばフィルムであると、前記異物を取り除くだけでなく、フィルムがローラ表面に張り付くおそれがある。【０００４】
そこで、出願人は、電子写真技術を応用し、被クリーニング材から塵挨などの異物を取り除く際に、剥離帯電（あるいは接触帯電）によりクリーニングローラの表面に前記異物を静電気力により吸着し得る電荷を帯電させておけば、前記クリーニングローラにより前記異物を静電気力を利用して取り除くことができることに基づき、別途特許出願をしている（特願２００８−２７１７９７参照）。【０００５】
そのようなクリーニングローラでは、表面に前記異物が順次蓄積されていくので、その表面より異物を取り除く、メンテナンス作業を定期的に行う必要がある。そこで、出願人は、メンテナンス作業を定期的に行うことなく、クリーニングローラによる異物の吸着除去動作を、長期に亘って安定して継続できるように、クリーニングローラに対し転写ローラや帯電制御ローラを設けたクリーニングシステムも先に出願している（特願２００９−０６９９７２号、特願２００９−１３８１０７号、特願２００９−１３８１０８号参照）。【０００６】
前記特許出願したものにおいては、転写ローラに吸着されている異物を取り除き、転写ローラの機能を長期に亘って維持させるために、クリーニングブラシ、金属ローラ、クリーニングブレードなどを設けるようにしている。
【先行技術文献】
【特許文献】
【０００７】
【特許文献１】特開２００８−１６８１８８号公報（段落００１４）
【発明の概要】
【発明が解決しようとする課題】
【０００８】
このように、クリーニングローラ、転写ローラおよび帯電制御ローラに加えて、クリーニングブラシ、金属ローラ、クリーニングブレードなどを設けるので、このクリーニングブラシ、金属ローラ、クリーニングブレードなどをできるだけコンパクトにまとめたいという要求がある。【０００９】
この発明は、コンパクトな構造のクリーニング装置を提供することを目的とする。
【課題を解決するための手段】
【００１０】
請求項１の発明、被クリーニング材の表面に接触しつつ回転しながら相対移動するクリーニングローラと、このクリーニングローラの表面に接触しながら回転する転写ローラと、この転写ローラの表面に接触しながら回転する帯電制御ローラとを備え、前記帯電制御ローラに帯電される電荷によって、前記被クリーニング材の表面上に付着する異物を静電気力により吸着するための電荷を、クリーニングローラおよび転写ローラに対し変更し、前記被クリーニング材の表面上に付着する塵挨などの異物を前記クリーニングローラによって静電気力を利用して取り除き、前記クリーニングローラに付着した前記異物を前記転写ローラによって取り除くクリーニング装置であって、前記クリーニングローラ、転写ローラおよび帯電制御ローラが設けられているフレームユニットに対し、前記転写ローラに付着する異物を取り除き回収するための回収ユニットが着脱可能に設けられ、前記回収ユニットは、前記フレームユニットに設けられた状態で、前記転写ローラ上の異物を取り除くクリーニングブラシと、このクリーニングブラシから前記異物を取り除く金属ローラと、この金属ローラの表面上に付着する異物を掻き取るクリーニングブレードとが、回収フレームに一定の位置関係で取り付けられたものであることを特徴とする。【００１１】
このようにすれば、クリーニングブラシ、前記金属ローラおよび前記クリーニングブレードを含み転写ローラに付着する異物を取り除き回収するための回収ユニットとして一体構造とすることで、コンパクト化を図る上で有利なレイアウトを実現することができ、フレームユニットへの回収ユニットの着脱の容易化も図ることができる。【００１２】
この場合、請求項２記載のように、前記回収ユニットは、前記クリーニングブラシおよび前記クリーニングブレードにて掻き取られた異物を収納する異物収納箱が設けられているようにすることも可能である。【００１３】
請求項３に記載のように、前記回収フレームは，左右の側板部の間に前記クリーニングブラシおよび前記金属ローラを回転可能に支持する構成とされ、前記金属ローラおよび前記クリーニングブラシは、それらの回転軸の軸端部に、前記回収フレームの側板部外側に露出する電極を備え、前記回収フレームの側板部の外側面側に、前記電極に接続される電線が収納される収納溝が形成されていることが望ましい。【００１４】
このようにすれば、ユニットフレームへの回収ユニットの着脱の際に、前記電線が邪魔になるのが回避される。【００１５】
請求項４に記載のように、前記フレームユニットは、前記回収ユニットを前記フレームユニットに対し係止可能である固定座金を備え、前記固定座金は、前記回収ユニットのフレームユニットへの着脱を可能とする第１の位置と、前記回収ユニットのフレームユニットへの着脱を禁止し前記回収ユニットを前記フレームユニットに対し係止する第２の位置とを選択的に取り得ることが望ましい。【００１６】
このようにすれば、回収ユニットのフレームユニットへの着脱を妨げることなく、回収ユニットをフレームユニットに確実に係止することができる。【００１７】
請求項５に記載のように、前記クリーニングローラ、前記転写ローラ及び前記帯電制御ローラがローラフレームに回転可能に支持されてローラユニットとされ、このローラユニットは、前記フレームユニットに着脱可能に設けられていることが望ましい。【００１８】
このようにすれば、前記クリーニングローラ、前記転写ローラ及び前記帯電制御ローラ
のユニット化によりコンパクトが図れ、フレームユニットへの着脱の容易化も図れる。【００１９】
請求項６に記載のように、前記クリーニングローラ、前記転写ローラおよび前記帯電制御ローラは、前記ローラフレームに対し前記転写ローラの回転軸を基準として組み付けられている構成とすることが望ましい。【００２０】
このようにすれば、前記転写ローラの回転軸を基準として、前記ローラフレームに対し、前記クリーニングローラおよび前記帯電制御ローラを、精度よく組み付けることができる。【００２１】
請求項７に記載のように、前記クリーニングローラは第１のスライドブロックに回転可能に支持される一方、前記帯電制御ローラは第２のスライドブロックに回転可能に支持され、前記ローラフレームには、前記転写ローラが回転可能に支持されるとともに、前記第１及び第２のスライドブロックがスライド可能に嵌合する第１及び第２の嵌合溝部が形成され、前記ローラユニットは、前記第１及び第２のスライドブロックが前記第１及び第２の嵌合溝部に嵌合された状態で、前記第１及び第２のスライドブロックを、前記転写ローラ及び前記帯電制御ローラを前記転写ローラを押し付ける方向に付勢する第１及び第２のばね部材を備える構成とすることができる。【００２２】
このようにすれば、前記転写ローラを基準として、前記ローラフレームに対し、前記クリーニングローラおよび前記帯電制御ローラの、精度よい組み付けを実現できる。【００２３】
請求項８に記載のように、前記ローラフレームは、左右の側板部の間に前記クリーニングローラ、前記転写ローラおよび前記金属帯電制御ローラを回転可能に支持する構成とされ、前記左右の側板部には、テーパー軸が回転可能かつ摺動可能に設けられ、前記テーパー軸の先端が前記フレームユニットの中央部に向けて突出するように弾性付勢される構成とされ、前記ローラフレームの左右側板部には、前記テーパー軸が嵌合するテーパー穴が形成されている構成とすることができる。【００２４】
このようにすれば、ローラユニットの着脱が容易で、かつ確実な組み付けを実現できる。【００２５】
請求項９に記載のように、前記フレームユニットと前記ローラフレームとの間に、前記クリーニングローラの、被クリーニング材への押付力を生じさせるように前記ローラフレームを弾性付勢するばね部材が設けられていることが望ましい。【００２６】
このようにすれば、ローラフレームを利用して、前記クリーニングローラの、被クリーニング材への押付力を生じさせることができる。【００２７】
請求項１０に記載のように、前記クリーニングローラおよび前記帯電制御ローラは、それらの回転軸の軸端部に、前記ローラフレームの側板部外側に露出するローラ電極を備え、前記ローラフレームの側板部の外側面側に、前記ローラ電極に接続される電線が収納される収納溝が形成されていることが望ましい。【００２８】
このようにすれば、ローラユニットの組み付けの際に、前記電線が邪魔になるのが回避される。
【発明の効果】
【００２９】
本発明は、上記のように、クリーニングブラシ、金属ローラおよびクリーニングブレードを、転写ローラに付着する異物を取り除き回収するための回収ユニットとして一体構造
としたので、コンパクト化を図る上で有利なレイアウトを実現することができ、フレームユニットへの回収ユニットの着脱の容易化も図ることができる。
【図面の簡単な説明】
【００３０】
【図１】本発明に係るクリーニング装置を構成する各構成要素のレイアウトを示す説明図である。
【図２】本発明の一実施の形態であるクリーニング装置を示し、上方から見た斜視図である。
【図３】前記クリーニング装置を、下方から見た斜視図である。
【図４】前記クリーニング装置の断面図である。
【図５】前記クリーニング装置の別の位置の断面図である。
【図６】フレームユニットの斜視図である。
【図７】前記フレームユニットを、下方から見た斜視図である。
【図８】ローラユニットを上方から見た斜視図である。
【図９】前記ローラユニットの断面図である。
【図１０】前記ローラユニットを前記フレームユニットに組み込んだ状態の断面図である。
【図１１】前記ローラユニットを前記フレームユニットに組み込んだ状態の、別の位置の断面図である。
【図１２】前記ローラユニットを前記フレームユニットに組み込んだ状態の斜視図である。
【図１３】前記ローラユニットを前記フレームユニットに組み込んだ状態の断面図である。
【図１４】前記ローラユニットと前記フレームユニットとの結合状態を示す断面図である。
【図１５】前記ローラユニットと前記フレームユニットとの結合状態を示す断面図である。
【図１６】回収ユニットの斜視図である。
【図１７】前記回収ユニットの斜視図である。
【図１８】前記回収ユニットの断面図である。
【図１９】前記回収ユニットの断面図である。
【図２０】前記フレームユニットへの前記回収ユニットを組み込む手順の説明図である。
【図２１】前記フレームユニットへの前記回収ユニットを組み込む手順の説明図である。
【図２２】前記フレームユニットへの前記回収ユニットを組み込む手順の説明図である。
【図２３】前記フレームユニットへの前記回収ユニットを組み込む手順の説明図である。
【発明を実施するための形態】
【００３１】
以下、本発明の実施の形態を図面に沿って説明する。
【００３２】
本発明に係るクリーニング装置は、被クリーニング材の表面上にクリーニングローラの表面に接触しつつ回転しながら、被クリーニング材に対し相対移動し、被クリーニング材の表面上に付着する塵挨などの異物（例えば、導体あるいは誘電体）を、クリーニングローラによって静電気力を利用して取り除くものである。このクリーニング装置１を構成する各構成要素のレイアウトは、図１に示すように、クリーニングローラ２に対しクリーニングローラ２の表面に接触しながら回転する転写ローラ３が設けられ、この転写ローラ３に対し転写ローラ３の表面に接触しながら回転する帯電制御ローラ４が設けられている。
帯電制御ローラ４は、芯金４ａに第１の外部電源５が接続されており、被クリーニング材Ｓの表面Ｓ１上に付着する異物を静電気力により吸着するための電荷を、クリーニングローラ２および転写ローラ３に対し変更できるようになっている。クリーニングローラ２は被クリーニング材Ｓの表面Ｓ１上に付着する異物を静電気力により吸着する電荷を表面に帯電し得るものであり、転写ローラ３は、クリーニングローラ２の表面に付着する異物を静電気力により吸着する電荷を表面に帯電し得る材料から形成される。転写ローラ３は、クリーニングローラ２の表面に接触しながら回転することで、クリーニングローラ２との間で、クリーニングローラ２と転写ローラ３との表面特性の違いに応じて電位差を生じるものである。
【００３３】
この転写ローラ３に対し連れ回り方向と逆方向に回転するクリーニングブラシ６が設けられ、このクリーニングブラシ６に対し連れ回り方向に回転するように金属ローラ７が設置され、この金属ローラ７には第２の外部電源８が接続され、この金属ローラ８の表面近傍に、金属ローラ８の表面上に付着する異物を先端掻き取り部にて掻き取るクリーニングブレード９が配置されている。例えば、第１の外部電源５は、クリーニングローラ２によるクリーニング時を除き、転写ローラ３による転写動作時に転写ローラ３の表面に帯電される電荷と逆符号で、絶対値が大きい電圧を帯電制御ローラ４に印加する構成とされ、第２の外部電源８は、転写ローラ３との間に電位差を生じさせるようにクリーニング時に転写ローラ３の表面に帯電される電荷と同符号の電位を金属ローラ７に印加する構成とされる。
【００３４】
続いて、クリーニング装置１の具体的な構造について説明する。
【００３５】
フレームユニット１１は、図２〜図４に示すように、上側ユニット１２の下側に上側補強アングル１３，１３を介して矩形板形状の、左右の側板部１４Ａ，１４Ｂが一定間隔を存して設けられ、左右の側板部１４Ａ，１４Ｂの下側部分は下側補強アングル１５，１５によって連結されている。
【００３６】
このフレームユニット１１の側板部１４Ａ，１４Ｂの間に、下側から、クリーニングローラ２、転写ローラ３及び帯電制御ローラ４を回転可能に支持するローラユニット１６が挿入されて、後述するようにテーパー穴２２Ａｅ，２２Ｂｅとテーパー軸５１，６１との嵌合関係で着脱可能に取り付けられている。また、側方から、クリーニングブラシ６、金属ローラ７およびクリーニングブレード９を回転可能に支持する回収ユニット１７が挿入されて、後述するように固定座金８６を用いて取付固定されている。
【００３７】
また、図５〜図７に示すように、フレームユニット１１の一方の側板部１４Ｂの外側面には、中央部に向けてモータ軸が突出するようにモータ１８取り付けられ、そのモータ１８のモータ軸によって回転駆動されるモータギア１９が、側板部１４Ｂの内側に位置するように設けられている。
【００３８】
回収ユニット１７が組み付けられた状態で、モーターギア１９とクリーニングブラシ６のブラシギア２０とが鉛直方向において上下に並ぶように配置され、水平に出し入れする回収ユニット１７の固定位置を決めることで、軸間距離の誤差がでにくい配置とされている。ブラシギア２０に金属ローラ７のギア２１が噛み合っている。
【００３９】
ローラユニット１６は、図８および図９に示すように、２つの側板部２２Ａ，２２Ｂの間に、補強アングル２３と支柱２４とが掛け渡されて、クリーニングローラ２、転写ローラ３及び帯電制御ローラ４を回転可能に支持するローラフレーム２５が形成されている。
【００４０】
ローラユニット１６は、側板部２２Ａ，２２Ｂ間に軸受３１を介して転写ローラ３の回
転軸が回転可能に支持されている。クリーニングローラ２の回転軸は、それぞれ軸受３２，３２を介して一対の第１のスライドブロックの間に回転可能に支持されている。一方の第１のスライドブロック３３が、側板部２２Ｂ（ローラフレーム２５）の第１の嵌合溝部２２Ｂａにスライド可能に嵌合し、嵌合状態で１対の固定ボルト３４によって固定される構造となっている。また、第１のスライドブロック３３には、段付き穴部３３ａが形成され、この段付き穴部３３ａに圧縮ばね３５の一端が固定され、この圧縮ばね３５の他端が、固定ボルト３４によって固定されたばねガイド３６に固定されている。なお、このばねガイド３６及び固定ボルト３４は、スライドブロック３３の段付き穴部３３ａを貫通した構造となっている。そして、この圧縮ばね３５が圧縮固定されることにより、第１のスライドブロック３３は常にクリーニングローラ２に転写ローラ３を押し付ける構造となっている。
【００４１】
帯電制御ローラ４の回転軸は、軸受３７，３７を介して一対の第２のスライドブロックの間に回転可能に支持されている。一方の第２のスライドブロック３８も、左右の側板部２２Ｂ（ローラフレーム２５）の第２の嵌合溝部２２Ｂｂにスライド可能に嵌合し、嵌合状態で固定ボルト３９によって固定される構造となっている。この第２のスライドブロック３８には、第２の嵌合溝部２２Ｂｂの延びる方向（転写ローラ３に向かう方向）に、穴部３８ａが形成され、この穴部３８ａに第２の圧縮ばね３９を圧縮状態で組み付けることで、スライドブロック３８が帯電制御ローラ４を転写ローラ３に常に押し付ける構造となっている。このように、クリーニングローラ２、転写ローラ３および帯電制御ローラ４は、ローラユニット１６において、ローラフレーム２５に対し転写ローラ３の回転軸を基準として組み付けられている。
【００４２】
また、図１０に示すように、側板部２２Ｂの外側には、クリーニングローラ２及び帯電制御ローラ４の回転軸の各端部に対しローラ電極４１，４２が設けられ、それらローラ電極４１，４２に接続される電線（図示せず）を収納する電線収納溝２２Ｂｃ，２２Ｂｄが形成され、その収納溝２２Ｂｃ，２２Ｂｄに電線を収納しておくことで、ローラユニット１６をフレームユニット１１に組み付けの際に回転運動しても、電線が引っ掛かり動きを阻害することがないようにしている。側板部２２Ａの外側には、ローラ電極４２および電線収納溝２２Ａｄが設けられている。
【００４３】
また、この場合、図１１および図１２に示すように、側板部１４Ｂの内側には、位置決め用の上側および下側凸部１４Ａａ，１４Ｂａ，１４Ｂｂ，１４Ｂｂが形成され、この下側凸部１４ｂの端面にローラユニット１６の側板部２２Ｂの下部が接触することで、ローラユニット１６の位置決めがなされるようになっている。このローラユニット１６は、フレームユニット１１（ブラケット４４）との間に設けられるコイルスプリング４３によって、下側凸部１４ｂの端面に押し付けるように付勢されている。この付勢力が、クリーニングローラ２を被クリーニング材Ｓの表面に押し付ける力ともなっている。上側および下側凸部１４Ａａ，１４Ｂａ，１４Ｂｂ，１４Ｂｂの間が、回収ユニット１７をフレームユニット１１に組付ける際に回収ユニット１７のスライド移動方向を案内するスライド案内部となっている。
【００４４】
図１３〜図１５に示すように、ローラユニット１６の側板部２２Ａ，２２Ｂの外側にテーパー穴２２Ａｅ，２２Ｂｅが形成される一方、フレームユニット１１の側板部１４Ａａ，１４Ｂａ，１４Ｂｂ，１４Ｂｂに中央側に突出するテーパー軸５１，６１が出没可能に設けられ、テーパー穴２２Ａｅ，２２Ｂｅにテーパー軸５１，６１が着脱可能にテーパー嵌合することでフレームユニット１１にローラユニット１６が固定されている。
【００４５】
側板部１４Ａには、図１４に示すように、筒状のハウジング５３が貫通された状態で４本のボルト５４にて固定され、このハウジング５３の中央側にすべり軸受５２を介してテ
ーパー軸５１が、軸方向へのスライド移動及び回転移動が可能に支持され、外側に筒状のばね座５５が嵌合されている。
【００４６】
テーパー軸５１は先端部が側板部２２Ａのテーパー穴２２Ａｅにテーパー嵌合されている。また、ばね座５５（内側フランジ部５５ａ）とテーパー軸５１との間には、圧縮ばね５６が圧縮状態で配置されている。この圧縮ばね５６の復元力により、テーパー軸５１が側板部１４Ａから飛び出さないように、ストッパーとして機能する座金５７を、内側フランジ部５５ａを貫通するテーパー軸５１の中心軸部５１ａの端部にボルト５８にて固定している構造としている。ばね座５５は、ハウジング５３の穴部５３ａとは隙間をもつ遊嵌合であり、回転可能な嵌め合いとなっている。また、ハウジング５３に設けられた溝部５３ｂにハンドル５９を９０度回転させて係止することにより、圧縮ばね５６を圧縮しつつ、その位置で固定することができる。
【００４７】
側板部１４Ｂに、図１５に示すように、筒状のハウジング６０が、ボルト（図示せず）にて固定されている。このハウジング６０に、すべり軸受６２及びフランジ付きすべり軸受６３を介してテーパー軸６１が回転可能に支持され、かつスラスト力を受けることができるようになっている。このテーパー軸６１の先端部が、側板部２２Ｂのテーパー穴２２Ｂｅにテーパー嵌合される。
【００４８】
図１６〜図１９に示すように、回収ユニット１７の回収フレーム７０も、２つの側板部７１Ａ，７１Ｂの間を補強バー７２や補強アングル７３で連結することで形成されている。そして、側板部７１Ｂには、電極７４，７５が開口部を通じて露出するように設けられるとともに、それらの電極７４，７５に接続される電線を収納するための電線収納溝７１Ｂｃ，７１Ｂｄが形成され、回収ユニット１７の組み付け・組み付け解除を、電線が邪魔になることなく、スムーズに行えるようになっている。クリーニングブラシ６及び金属ローラ７に対し、取り除かれた異物を収納するための異物収納箱７６，７７がそれぞれ設けられている。なお、側板部７１Ａ，７１Ｂには、後述する固定金具８６が係脱可能に契合する係合凹部１７Ａａ，１７Ｂａが形成されている。
【００４９】
図１８および図１９に示すように、クリーニングブレード９は、ボルト７８によりブレードホルダー７９に固定されている。ブレード９と金属ローラ７との接触圧は、ホルダー固定ボルト８０を緩めて補強アングル８１とブレードホルダー７９との間にシムを挟み込むことで調整することができる。なお、補強アングル８１に雌ねじ部を設け、ボルトなどを介して、ブレードホルダーをリフトアップする構造としてもよい。
【００５０】
フレームユニット１１に回収ユニット１７を組み付ける際には、図２０および図２１に示すように、回収ユニット１７を、上側および下側凸部１４Ａａ，１４Ｂａ，１４Ｂｂ，１４Ｂｂの間に沿って矢符Ａの方向に移動させ、側板部７１Ａ，７１Ｂについていえば端部７１Ａｂ，７１Ｂｂを下側凸部１４Ａｂ，１４Ｂｂの位置決め面１４Ｂｂｂに接触させ、位置決めを行う。
【００５１】
また、フレームユニット１１の側板部１４Ａ，１４Ｂには、一部が切除されて直線部８６ａとなっている円板状の固定座金８６が回転可能に取り付けられてなり、その固定座金８６の直線部８６ａの位置によって、回収ユニット１７の組み付け・組み付け解除を許容したり、禁止したりするようになっている。なお、固定座金８６は、固定ボルト８５によってその回転が規制されるようになっている。
【００５２】
すなわち、回収ユニット１７を組み付ける際あるいは組付けを解除する際には、図２２に示すように、固定ボルト８５を緩めて、フレームユニット１１の側板部１４Ａ，１４Ｂ固定座金８６の直線部８６ａが鉛直方向になるようにして、固定ボルト８５を締め付けて
固定する（第１の位置）。この状態では、直線部８６ａが側板部１４Ａ，１４Ｂの上下方向に延びる側縁に一致させ、側板部１４Ａ，１４Ｂから固定座金８６が突出しないので、回収ユニット１７の組み付けあるいは組付け解除が可能となる。一方、回収ユニット１７を固定する際には、図２３に示すように、固定ボルト８５を緩めて、固定座金８６の直線部８６ａが水平方向になるように、固定ボルト８５を締め付けて固定する（第２の位置）。この状態では側板部１４Ａ，１４Ｂから固定座金８６の一部が突出し、回収ユニット１７の組み付けあるいは組付け解除が禁止される。
【符号の説明】
【００５３】
１    クリーニング装置
２    クリーニングローラ
３    転写ローラ
４    帯電制御ローラ
６    クリーニングブラシ
７    金属ローラ
９    クリーニングブレード
１１    フレームユニット
１４Ａ，１４Ｂ    側板部
１４Ａａ，１４Ｂａ    上側凸部
１４Ｂｂ，１４Ｂｂ    下側凸部
１４Ｂｂｂ    位置決め面
１６    ローラユニット
１７    回収ユニット
２２Ａ，２２Ｂ    側板部
２２Ｂａ    第１の嵌合溝部
２２Ｂｂ    第２の嵌合溝部
２２Ｂｃ    電線収納溝
２２Ａｄ，２２Ｂｄ    電線収納溝
２２Ａｅ，２２Ｂｅ    テーパー穴
３３    第１のスライドブロック
３８    第２のスライドブロック
４１，４２    ローラ電極
４３    コイルスプリング（ばね部材)
５１，６１    テーパー軸
７０    回収フレーム
７１Ａ，７１Ｂ    側板部
７１Ｂｃ，７１Ｂｄ    電線収納溝
７４，７５    電極
７６，７７    異物収納箱
８６    固定座金
【図１】
2011099307.tif 000003
【図２】
2011099307.tif 000004
【図３】
2011099307.tif 000005
【図４】
2011099307.tif 000006
【図５】
2011099307.tif 000007
【図６】
2011099307.tif 000008
【図７】
2011099307.tif 000009
【図８】
2011099307.tif 000010
【図９】
2011099307.tif 000011
【図１０】
2011099307.tif 000012
【図１１】
2011099307.tif 000013
【図１２】
2011099307.tif 000014
【図１３】
2011099307.tif 000015
【図１４】
2011099307.tif 000016
【図１５】
2011099307.tif 000017
【図１６】
2011099307.tif 000018
【図１７】
2011099307.tif 000019
【図１８】
2011099307.tif 000020
【図１９】
2011099307.tif 000021
【図２０】
2011099307.tif 000022
【図２１】
2011099307.tif 000023
【図２２】
2011099307.tif 000024
【図２３】
2011099307.tif 000025
【手続補正書】
【提出日】平成23年9月15日(2011.9.15)
【手続補正１】
【補正対象書類名】特許請求の範囲
【補正対象項目名】請求項１
【補正方法】変更
【補正の内容】
【請求項１】
被クリーニング材の表面に接触しつつ回転しながら相対移動するクリーニングローラと、このクリーニングローラの表面に接触しながら回転する転写ローラと、この転写ローラの表面に接触しながら回転する帯電制御ローラとを備え、前記帯電制御ローラに帯電される電荷によって、前記被クリーニング材の表面上に付着する異物を静電気力により吸着するための電荷を、クリーニングローラおよび転写ローラに対し変更し、前記被クリーニング材の表面上に付着する塵挨などの異物を前記クリーニングローラによって静電気力を利用して取り除き、前記クリーニングローラに付着した前記異物を前記転写ローラによって取り除くクリーニング装置であって、
前記クリーニングローラ、転写ローラおよび帯電制御ローラが設けられているフレームユニットに対し、前記転写ローラに付着する異物を取り除き回収するための回収ユニットが着脱可能に設けられ、
前記回収ユニットは、前記フレームユニットに設けられた状態で、前記転写ローラ上の異物を取り除くクリーニングブラシと、このクリーニングブラシから前記異物を取り除く金属ローラと、この金属ローラの表面上に付着する異物を掻き取るクリーニングブレードとを備え、前記クリーニングブラシが、前記転写ローラの表面に接触しながら回転可能な位置に設けられ、前記金属ローラが、前記クリーニングブラシに接触しながら回転可能な位置に設けられ、前記クリーニングブレードが、前記金属ローラの表面に接触する位置に固定されていることを特徴とするクリーニング装置。
【手続補正２】
【補正対象書類名】特許請求の範囲
【補正対象項目名】請求項６
【補正方法】変更
【補正の内容】
【請求項６】
前記ローラユニットは、前記転写ローラの表面に前記クリーニングブラシが接触しながら回転可能な位置で前記フレームユニットに支持されるとともに、
前記ローラユニットにおいて、前記帯電制御ローラおよび前記クリーニングローラが、前記転写ローラの表面と接触しながら回転可能な位置で設けられており、かつ、前記転写ローラの回転軸中心と同軸上の位置を中心として、前記ローラユニットが旋回可能な位置で組み付けられている請求項５記載のクリーニング装置。
【手続補正３】
【補正対象書類名】明細書
【補正対象項目名】００１０
【補正方法】変更
【補正の内容】
【００１０】
請求項１の発明は、被クリーニング材の表面に接触しつつ回転しながら相対移動するクリーニングローラと、このクリーニングローラの表面に接触しながら回転する転写ローラと、この転写ローラの表面に接触しながら回転する帯電制御ローラとを備え、前記帯電制御ローラに帯電される電荷によって、前記被クリーニング材の表面上に付着する異物を静電気力により吸着するための電荷を、クリーニングローラおよび転写ローラに対し変更し、前記被クリーニング材の表面上に付着する塵挨などの異物を前記クリーニングローラによって静電気力を利用して取り除き、前記クリーニングローラに付着した前記異物を前記転写ローラによって取り除くクリーニング装置であって、前記クリーニングローラ、転写ローラおよび帯電制御ローラが設けられているフレームユニットに対し、前記転写ローラに付着する異物を取り除き回収するための回収ユニットが着脱可能に設けられ、前記回収ユニットは、前記フレームユニットに設けられた状態で、前記転写ローラ上の異物を取り除くクリーニングブラシと、このクリーニングブラシから前記異物を取り除く金属ローラと、この金属ローラの表面上に付着する異物を掻き取るクリーニングブレードとを備え、前記クリーニングブラシが、前記転写ローラの表面に接触しながら回転可能な位置に設けられ、前記金属ローラが、前記クリーニングブラシに接触しながら回転可能な位置に設けられ、前記クリーニングブレードが、前記金属ローラの表面に接触する位置に固定されていることを特徴とする。
【手続補正４】
【補正対象書類名】明細書
【補正対象項目名】００１９
【補正方法】変更
【補正の内容】
【００１９】
請求項６に記載のように、前記ローラユニットは、前記転写ローラの表面に前記クリーニングブラシが接触しながら回転可能な位置で前記フレームユニットに支持されるとともに、前記ローラユニットにおいて、前記帯電制御ローラおよび前記クリーニングローラが、前記転写ローラの表面と接触しながら回転可能な位置で設けられており、かつ、前記転写ローラの回転軸中心と同軸上の位置を中心として、前記ローラユニットが旋回可能な位置で組み付けられている構成とすることが望ましい。
【手続補正書】
【提出日】平成23年11月4日(2011.11.4)
【手続補正１】
【補正対象書類名】特許請求の範囲
【補正対象項目名】請求項１
【補正方法】変更
【補正の内容】
【請求項１】
被クリーニング材の表面に接触しつつ回転しながら相対移動するクリーニングローラと、このクリーニングローラの表面に接触しながら回転する転写ローラと、この転写ローラの表面に接触しながら回転する帯電制御ローラとを備え、前記帯電制御ローラに帯電される電荷によって、前記被クリーニング材の表面上に付着する異物を静電気力により吸着するための電荷を、クリーニングローラおよび転写ローラに対し変更し、前記被クリーニング材の表面上に付着する塵挨などの異物を前記クリーニングローラによって静電気力を利用して取り除き、前記クリーニングローラに付着した前記異物を前記転写ローラによって取り除くクリーニング装置であって、
前記クリーニングローラ、転写ローラおよび帯電制御ローラが設けられているフレームユニットに対し、前記転写ローラに付着する異物を取り除き回収するための回収ユニットが着脱可能に設けられ、
前記回収ユニットは、前記フレームユニットに設けられた状態で、前記転写ローラ上の異物を取り除くクリーニングブラシと、このクリーニングブラシから前記異物を取り除く金属ローラと、この金属ローラの表面上に付着する異物を掻き取るクリーニングブレードとを備え、前記クリーニングブラシが、前記転写ローラの表面に接触しながら回転可能な位置に設けられ、前記金属ローラが、前記クリーニングブラシに接触しながら回転可能な位置に設けられ、前記クリーニングブレードが、前記金属ローラの表面に接触する位置に固定され、前記クリーングブラシ、前記金属ローラおよび前記クリーニングブレードが回収フレームに取り付けられていることを特徴とするクリーニング装置。
【手続補正２】
【補正対象書類名】明細書
【補正対象項目名】００１０
【補正方法】変更
【補正の内容】
【００１０】
請求項１の発明は、被クリーニング材の表面に接触しつつ回転しながら相対移動するクリーニングローラと、このクリーニングローラの表面に接触しながら回転する転写ローラと、この転写ローラの表面に接触しながら回転する帯電制御ローラとを備え、前記帯電制御ローラに帯電される電荷によって、前記被クリーニング材の表面上に付着する異物を静電気力により吸着するための電荷を、クリーニングローラおよび転写ローラに対し変更し、前記被クリーニング材の表面上に付着する塵挨などの異物を前記クリーニングローラによって静電気力を利用して取り除き、前記クリーニングローラに付着した前記異物を前記転写ローラによって取り除くクリーニング装置であって、前記クリーニングローラ、転写ローラおよび帯電制御ローラが設けられているフレームユニットに対し、前記転写ローラに付着する異物を取り除き回収するための回収ユニットが着脱可能に設けられ、前記回収ユニットは、前記フレームユニットに設けられた状態で、前記転写ローラ上の異物を取り除くクリーニングブラシと、このクリーニングブラシから前記異物を取り除く金属ローラと、この金属ローラの表面上に付着する異物を掻き取るクリーニングブレードとを備え、前記クリーニングブラシが、前記転写ローラの表面に接触しながら回転可能な位置に設けられ、前記金属ローラが、前記クリーニングブラシに接触しながら回転可能な位置に設けられ、前記クリーニングブレードが、前記金属ローラの表面に接触する位置に固定され、前記クリーングブラシ、前記金属ローラおよび前記クリーニングブレードが回収フレームに取り付けられていることを特徴とする。
【国際調査報告】
2011099307.tif 000026
2011099307.tif 000027